(57)【要約】【課題】デジタルテレビ放送として受信困難な状態においては、音声につき、品位より内容を優先し、最低限の情報を視聴者が確保できるようにする。【解決手段】第１の選局手段３は、地上波デジタル放送を選局受信する。第２の選局手段１４は、アナログ放送電波の第１の選局手段３で選局したチャンネルに対応するチャンネルを選局受信して第２の選局信号を得る。音声デコード手段８でデコードして得られる第１の音声信号と、復調手段１５で復調して得られる第２の音声信号は同一音声内容である。選択手段１０は感度判定手段９から入力された判定信号により、感度情報が予め設定した値を下回っている場合には、第２の音声信号を音声選択後信号として出力することで、従来は地上波デジタル放送の音声信号が視聴困難な場合であっても、視聴者にとって欠かせない音声情報を失うことを回避することができる。【選択図】図１
2009065317.tif 000002
【特許請求の範囲】
【請求項１】
デジタルテレビ放送波である第１の放送電波を複数チャンネルで送信すると共に、前記第１の放送電波の送信情報中の音声情報と同一内容の音声情報を少なくとも含む放送情報をアナログ放送波である第２の放送電波で送信し、受信側では前記第１の放送電波及び前記第２の放送電波のうちの一方の放送電波の任意のチャンネルを選局受信する放送システムであって、
前記第１の放送電波の任意のチャンネルを選局受信して、映像信号の復調出力と第１の音声信号の復調出力とをそれぞれ生成する第１の受信手段と、
前記第２の放送電波の、前記第１の選局手段で選局したチャンネルに対応するチャンネルを選局受信して、前記第１の音声信号と同一音声内容の第２の音声信号の復調出力を少なくとも生成する第２の受信手段と、
前記第１の受信手段による前記第１の放送電波の選局受信信号の品質状態を示す感度情報が、予め設定した値を下回っているか否かを示す判定信号を生成する判定信号生成手段と、
前記判定信号が、前記感度情報が前記予め設定した値を下回っていないことを示しているときは、前記第１の音声信号の復調出力を選択し、前記判定信号が、前記感度情報が前記予め設定した値を下回っていることを示しているときは、前記第２の音声信号の復調出力を選択する選択手段と
を受信側に設けたことを特徴とする放送システム。
【請求項２】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信して第１の選局信号を得る第１の選局手段と、
前記第１の選局信号を復調してトランスポートストリーム信号を生成すると共に、前記第１の選局信号の品質状態を示す感度情報を生成する第１の復調手段と、
前記第１の選局信号の品質状態を示す前記感度情報を入力として受け、その感度情報を予め設定した値と比較して、該感度情報が該予め設定した値を下回っているか否かを示す判定信号を生成する感度判定手段と、
前記トランスポートストリーム信号から、ビデオエレメンタリストリーム信号とオーディオエレメンタリストリーム信号とを分離して出力する多重分離手段と、
前記ビデオエレメンタリストリーム信号をデコードして復調された映像信号を得る映像デコード手段と、
前記オーディオエレメンタリストリーム信号をデコードして復調された第１の音声信号を得る音声デコード手段と、
前記第２の放送電波の、前記第１の選局手段で選局したチャンネルに対応するチャンネルを選局受信して第２の選局信号を得る第２の選局手段と、
前記第２の選局信号を復調して少なくとも第２の音声信号を生成する第２の復調手段と、
前記第２の音声信号を所定の遅延時間遅延する遅延手段と、
前記音声デコード手段から出力される前記第１の音声信号と、前記遅延手段から出力される遅延後の前記第２の音声信号とを入力として受け、前記判定信号が、前記感度情報が前記予め設定した値を下回っていないことを示しているときは前記第１の音声信号を選択し、前記判定信号が、前記感度情報が前記予め設定した値を下回っていることを示しているときは前記遅延後の第２の音声信号を選択する選択手段と
を有することを特徴とする放送受信端末。
【請求項３】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信して第１の選局信号を得る第１の選局手段と、
前記第１の選局信号を復調してトランスポートストリーム信号を生成すると共に、前記第１の選局信号の品質状態を示す感度情報を生成する第１の復調手段と、
前記第１の選局信号の品質状態を示す前記感度情報を入力として受け、その感度情報を予め設定した値と比較して、該感度情報が該予め設定した値を下回っているか否かを示す判定信号を生成する感度判定手段と、
前記トランスポートストリーム信号から、ビデオエレメンタリストリーム信号とオーディオエレメンタリストリーム信号とを分離して出力する多重分離手段と、
前記ビデオエレメンタリストリーム信号をデコードして復調された映像信号を得る映像デコード手段と、
前記オーディオエレメンタリストリーム信号をデコードして復調された第１の音声信号を得る音声デコード手段と、
前記第２の放送電波の、前記第１の選局手段で選局したチャンネルに対応するチャンネルを選局受信して第２の選局信号を得る第２の選局手段と、
前記第２の選局信号を復調して少なくとも第２の音声信号を生成する第２の復調手段と、
前記第２の音声信号を時間的に遅延させると共に、その遅延時間を、前記感度情報が前記予め設定した値を下回っていないことを示している前記判定信号の入力期間において、前記第２の音声信号を遅延した信号と前記第１の音声信号との相関関係に基づいて調整して出力する遅延調整手段と、
前記音声デコード手段から出力される前記第１の音声信号と、前記遅延調整手段から出力される遅延後の前記第２の音声信号とを入力として受け、前記判定信号が、前記感度情報が前記予め設定した値を下回っていないことを示しているときは前記第１の音声信号を選択し、前記判定信号が、前記感度情報が前記予め設定した値を下回っていることを示しているときは前記遅延後の第２の音声信号を選択する選択手段と
を有することを特徴とする放送受信端末。
【請求項４】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信して第１の選局信号を得る第１の選局手段と、
前記第１の選局信号を復調してトランスポートストリーム信号を生成すると共に、前記第１の選局信号の品質状態を示す感度情報を生成する第１の復調手段と、
前記第１の選局信号の品質状態を示す前記感度情報を入力として受け、その感度情報を予め設定した値と比較して、該感度情報が該予め設定した値を下回っているか否かを示す判定信号を生成する感度判定手段と、
前記トランスポートストリーム信号から、ビデオエレメンタリストリーム信号とオーディオエレメンタリストリーム信号とを分離して出力する多重分離手段と、
前記ビデオエレメンタリストリーム信号と前記判定信号とを入力として受け、前記ビデオエレメンタリストリーム信号をデコードして復調された映像信号を得ると共に、一定期間の前記復調された映像信号を蓄積し、入力された前記判定信号が、前記感度情報が前記予め設定した値を下回っていないことを示しているときは、前記復調された映像信号を出力し、入力された前記判定信号が、前記感度情報が前記予め設定した値を下回っていることを示しているときは、蓄積されている前記一定期間の復調された映像信号を読み出し出力する映像デコード手段と、
前記オーディオエレメンタリストリーム信号をデコードして復調された第１の音声信号を得る音声デコード手段と、
前記第２の放送電波の、前記第１の選局手段で選局したチャンネルに対応するチャンネルを選局受信して第２の選局信号を得る第２の選局手段と、
前記第２の選局信号を復調して少なくとも第２の音声信号を生成する第２の復調手段と、
前記第２の音声信号を所定の遅延時間遅延する遅延手段と、
前記音声デコード手段から出力される前記第１の音声信号と、前記遅延手段から出力される遅延後の前記第２の音声信号とを入力として受け、前記判定信号が、前記感度情報が前記予め設定した値を下回っていないことを示しているときは前記第１の音声信号を選択し、前記判定信号が、前記感度情報が前記予め設定した値を下回っていることを示しているときは前記遅延後の第２の音声信号を選択する選択手段と
を有することを特徴とする放送受信端末。
【請求項５】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信して第１の選局信号を得る第１の選局手段と、
前記第１の選局信号を復調してトランスポートストリーム信号を生成すると共に、前記第１の選局信号の品質状態を示す感度情報を生成する第１の復調手段と、
前記第１の選局信号の品質状態を示す前記感度情報を入力として受け、その感度情報を予め設定した値と比較して、該感度情報が該予め設定した値を下回っているか否かを示す判定信号を生成する感度判定手段と、
前記トランスポートストリーム信号から、ビデオエレメンタリストリーム信号とオーディオエレメンタリストリーム信号とを分離して出力する多重分離手段と、
前記ビデオエレメンタリストリーム信号と前記判定信号とを入力として受け、前記ビデオエレメンタリストリーム信号をデコードして復調された映像信号を得ると共に、一定期間の前記復調された映像信号を蓄積し、入力された前記判定信号が、前記感度情報が前記予め設定した値を下回っていないことを示しているときは、前記復調された映像信号を出力し、入力された前記判定信号が、前記感度情報が前記予め設定した値を下回っていることを示しているときは、蓄積されている前記一定期間の復調された映像信号を読み出し出力する映像デコード手段と、
前記オーディオエレメンタリストリーム信号をデコードして復調された第１の音声信号を得る音声デコード手段と、
前記第２の放送電波の、前記第１の選局手段で選局したチャンネルに対応するチャンネルを選局受信して第２の選局信号を得る第２の選局手段と、
前記第２の選局信号を復調して少なくとも第２の音声信号を生成する第２の復調手段と、
前記第２の音声信号を時間的に遅延させると共に、その遅延時間を、前記感度情報が前記予め設定した値を下回っていないことを示している前記判定信号の入力期間において、前記第２の音声信号を遅延した信号と前記第１の音声信号との相関関係に基づいて調整して出力する遅延調整手段と、
前記音声デコード手段から出力される前記第１の音声信号と、前記遅延調整手段から出力される遅延後の前記第２の音声信号とを入力として受け、前記判定信号が、前記感度情報が前記予め設定した値を下回っていないことを示しているときは前記第１の音声信号を選択し、前記判定信号が、前記感度情報が前記予め設定した値を下回っていることを示しているときは前記遅延後の第２の音声信号を選択する選択手段と
を有することを特徴とする放送受信端末。
【請求項６】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信した第１の選局信号を復調して得た第１の音声信号の入力手段と、
前記入力手段から入力された前記第１の音声信号が予め設定した値、又は該予め設定した値を下回る値で一定期間連続する条件を満たすかどうかを示す判定信号を生成する無信号判定手段と、
前記第１の放送電波の選局受信チャンネルに対応する前記第２の放送電波のチャンネルを選局受信して第２の選局信号を得る選局手段と、
前記第２の選局信号を復調して少なくとも第２の音声信号を生成する第２の復調手段と、
前記第２の音声信号を所定の遅延時間遅延する遅延手段と、
前記入力手段から入力される前記第１の音声信号と、前記遅延手段から出力される遅延後の前記第２の音声信号とを入力として受け、前記判定信号が、前記条件を満たしていないことを示しているときは前記第１の音声信号を選択し、前記判定信号が、前記条件を満たしていることを示しているときは前記遅延後の第２の音声信号を選択する選択手段と
を有することを特徴とする放送受信端末。
【請求項７】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信した第１の選局信号を復調して得た第１の音声信号の入力手段と、
前記入力手段から入力された前記第１の音声信号が予め設定した値、又は該予め設定した値を下回る値で一定期間連続する条件を満たすかどうかを示す判定信号を生成する無信号判定手段と、
前記第１の放送電波の選局受信チャンネルに対応する前記第２の放送電波のチャンネルを選局受信して第２の選局信号を得る選局手段と、
前記第２の選局信号を復調して少なくとも第２の音声信号を生成する第２の復調手段と、
前記第２の音声信号を時間的に遅延させると共に、その遅延時間を、前記条件を満たしていないことを示している前記判定信号の入力期間において、前記第２の音声信号を遅延した信号と前記第１の音声信号との相関関係に基づいて調整して出力する遅延調整手段と、
前記入力手段からの前記第１の音声信号と、前記遅延調整手段から出力される遅延後の前記第２の音声信号とを入力として受け、前記判定信号が、前記条件を満たしていないことを示しているときは前記第１の音声信号を選択し、前記判定信号が、前記条件を満たしていることを示しているときは前記遅延後の第２の音声信号を選択する選択手段と
を有することを特徴とする放送受信端末。
【請求項８】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信した第１の選局信号を復調して得た第１の音声信号が入力される第１の入力手段と、
前記第１の入力手段から入力された前記第１の音声信号が予め設定した値、又は該予め設定した値を下回る値で一定期間連続する条件を満たすかどうかを示す判定信号を生成する無信号判定手段と、
前記第１の放送電波の選局受信チャンネルに対応する前記第２の放送電波のチャンネルを選局受信した第２の選局信号を復調して得た第２の音声信号が入力される第２の入力手段と、
前記第２の入力手段から入力された前記第２の音声信号を所定の遅延時間遅延する遅延手段と、
前記第１の入力手段から入力される前記第１の音声信号と、前記遅延手段から出力される遅延後の前記第２の音声信号とを入力として受け、前記判定信号が、前記条件を満たしていないことを示しているときは前記第１の音声信号を選択し、前記判定信号が、前記条件を満たしていることを示しているときは前記遅延後の第２の音声信号を選択する選択手段と
を有することを特徴とする放送受信端末。
【請求項９】
デジタルテレビ放送波である第１の放送電波と、前記第１の放送電波の送信情報中の音声情報と同一内容の音声情報を少なくとも含む放送情報を送信するアナログ放送波である第２の放送電波とを選局受信する放送受信端末であって、
前記第１の放送電波を選局受信した第１の選局信号を復調して得た第１の音声信号が入力される第１の入力手段と、
前記第１の入力手段から入力された前記第１の音声信号が予め設定した値、又は該予め設定した値を下回る値で一定期間連続する条件を満たすかどうかを示す判定信号を生成する無信号判定手段と、
前記第１の放送電波の選局受信チャンネルに対応する前記第２の放送電波のチャンネルを選局受信した第２の選局信号を復調して得た第２の音声信号が入力される第２の入力手段と、
前記第２の入力手段から入力された前記第２の音声信号を時間的に遅延させると共に、その遅延時間を、前記条件を満たしていないことを示している前記判定信号の入力期間において、前記第２の音声信号を遅延した信号と前記第１の音声信号との相関関係に基づいて調整して出力する遅延調整手段と、
前記第１の入力手段からの前記第１の音声信号と、前記遅延調整手段から出力される遅延後の前記第２の音声信号とを入力として受け、前記判定信号が、前記条件を満たしていないことを示しているときは前記第１の音声信号を選択し、前記判定信号が、前記条件を満たしていることを示しているときは前記遅延後の第２の音声信号を選択する選択手段と
を有することを特徴とする放送受信端末。
【請求項１０】
デジタルテレビ放送波である第１の放送電波の送信情報中の音声情報と同一内容の音声情報を少なくとも含む放送情報を送信するアナログ放送波である第２の放送電波を送信する放送送信端末であって、
音声信号を周波数変調して得た被変調波信号が映像情報と共に多重されたアナログテレビジョン放送波を、前記第２の放送電波として送信することを特徴とする放送送信端末。
【請求項１１】
デジタルテレビ放送波である第１の放送電波の送信情報中の音声情報と同一内容の音声情報を少なくとも含む放送情報を送信するアナログ放送波である第２の放送電波を送信する放送送信端末であって、
音声信号を周波数変調又は振幅変調して得た被変調波信号からなるラジオ放送波を、前記第２の放送電波として送信することを特徴とする放送送信端末。
【発明の詳細な説明】
【技術分野】
【０００１】
本発明は放送システム並びに放送受信端末及び放送送信端末に係り、特に地上波デジタルテレビ放送を送受信する放送システム並びにそれに用いる放送受信端末及び放送送信端末に関する。
【背景技術】
【０００２】
従来、地上波デジタルテレビ放送を受信する放送受信端末においては、受信電界強度がある値を下回ると急激に受信放送の画質が劣化し、視聴的に許容できないレベルの画質が表示されたり、表示画像が乱れて識別できなくなることがあり、この際、受信音声も同様に音声が乱れたり途切れたりしてしまう。
【０００３】
そこで、この問題を解決するべく、受信感度があるレベルを下回った場合には、受信映像の過去のフレームを表示することにより、間欠的ではあるが、安定した映像表示を可能とし、また受信音声についても、受信感度があるレベルを下回った場合には、出力を停止する受信端末が従来開示されている（例えば、特許文献１参照）。
【０００４】
また、同一のコンテンツを別の地上波デジタル放送のビットストリーム（データレートを落としたもの）で補完する方法も提案されている（例えば、特許文献２参照）。
【０００５】
【特許文献１】特開２００６−１５７１１２号公報
【特許文献２】特開２００３−３０９５３０号公報
【発明の開示】
【発明が解決しようとする課題】
【０００６】
しかしながら、特許文献１記載の従来の受信端末は、受信感度があるレベルを下回った場合に、出力を停止するようにしているため、視聴者にとって欠かせない情報（放送の流れや、重要なポイント、例えば、クイズ番組の答えや、ドラマのクライマックスなど）を失うという、致命的な問題がある。
【０００７】
これは、もともと、デジタルテレビ放送において、映像の受信限界＝音声の受信限界であることが根本的な理由である。つまり、従来のアナログ放送においては、受信しにくい時間・場所であっても、（ノイズに埋もれながらも、）音声の内容が聞き取れる範囲の受信地域であるのに対し、デジタルテレビ放送では、受信しにくい時間・場所＝内容が出力されない地域となるのである。
【０００８】
一方、特許文献２記載の方法では、代替の補完信号として、デジタル放送を利用しているので、やはり、受信状態に限界がある。
【０００９】
本発明は、以上の点に鑑みなされたもので、デジタルテレビ放送として受信困難な状態においては、音声につき、品位より内容を優先し、最低限の情報を視聴者が確保できる放送システム並びに放送受信端末及び放送送信端末を提供することを目的とする。
【課題を解決するための手段】
【００１０】
上記の目的を達成するため、本発明の放送システムは、デジタルテレビ放送波である第１の放送電波を複数チャンネルで送信すると共に、第１の放送電波の送信情報中の音声情報と同一内容の音声情報を少なくとも含む放送情報をアナログ放送波である第２の放送電波で送信し、受信側では第１の放送電波及び第２の放送電波のうちの一方の放送電波の任意のチャンネルを選局受信する放送システムであって、
第１の放送電波の任意のチャンネルを選局受信して、映像信号の復調出力と第１の音声信号の復調出力とをそれぞれ生成する第１の受信手段と、第２の放送電波の、第１の受信手段で選局したチャンネルに対応するチャンネルを選局受信して、第１の音声信号と同一音声内容の第２の音声信号の復調出力を少なくとも生成する第２の受信手段と、第１の受信手段による第１の放送電波の選局受信信号の品質状態を示す感度情報が、予め設定した値を下回っているか否かを示す判定信号を生成する判定信号生成手段と、判定信号が、感度情報が予め設定した値を下回っていないことを示しているときは、第１の音声信号の復調出力を選択し、判定信号が、感度情報が予め設定した値を下回っていることを示しているときは、第２の音声信号の復調出力を選択する選択手段とを受信側に設けたことを特徴とする。
【００１１】
また、上記の目的を達成するため、本発明の放送受信端末は、デジタルテレビ放送波である第１の放送電波と、第１の放送電波の送信情報中の音声情報と同一内容の音声情報を少なくとも含む放送情報を送信するアナログ放送波である第２の放送電波とを選局受信する放送受信端末であって、
第１の放送電波を選局受信して第１の選局信号を得る第１の選局手段と、第１の選局信号を復調してトランスポートストリーム信号を生成すると共に、前記第１の選局信号の品質状態を示す感度情報を生成する第１の復調手段と、第１の選局信号の品質状態を示す感度情報を入力として受け、その感度情報を予め設定した値と比較して、感度情報が予め設定した値を下回っているか否かを示す判定信号を生成する感度判定手段と、トランスポートストリーム信号から、ビデオエレメンタリストリーム信号とオーディオエレメンタリストリーム信号とを分離して出力する多重分離手段と、ビデオエレメンタリストリーム信号をデコードして復調された映像信号を得る映像デコード手段と、オーディオエレメンタリストリーム信号をデコードして復調された第１の音声信号を得る音声デコード手段と、第２の放送電波の、第１の選局手段で選局したチャンネルに対応するチャンネルを選局受信して第２の選局信号を得る第２の選局手段と、第２の選局信号を復調して少なくとも第２の音声信号を生成する第２の復調手段と、第２の音声信号を所定の遅延時間遅延する遅延手段と、音声デコード手段から出力される第１の音声信号と、遅延手段から出力される遅延後の第２の音声信号とを入力として受け、判定信号が、感度情報が予め設定した値を下回っていないことを示しているときは第１の音声信号を選択し、判定信号が、感度情報が予め設定した値を下回っていることを示しているときは遅延後の第２の音声信号を選択する選択手段とを有することを特徴とする。
【００１２】
ここで、上記の遅延手段に替えて、第２の音声信号を時間的に遅延させると共に、その遅延時間を、感度情報が予め設定した値を下回っていないことを示している判定信号の入力期間において、第２の音声信号を遅延した信号と第１の音声信号との相関関係に基づいて調整して出力する遅延調整手段としてもよい。
【００１３】
また、上記の映像デコード手段を、ビデオエレメンタリストリーム信号と判定信号とを入力として受け、ビデオエレメンタリストリーム信号をデコードして復調された映像信号を得ると共に、一定期間の復調された映像信号を蓄積し、入力された判定信号が、感度情報が予め設定した値を下回っていないことを示しているときは、復調された映像信号を出力し、入力された判定信号が、感度情報が予め設定した値を下回っていることを示しているときは、蓄積されている一定期間の復調された映像信号を読み出し出力する構成であってもよい。
【００１４】
また、上記の目的を達成するため、本発明の放送送信端末は、デジタルテレビ放送波である第１の放送電波の送信情報中の音声情報と同一内容の音声情報を少なくとも含む放送情報を送信するアナログ放送波である第２の放送電波を送信する放送送信端末であって、
音声信号を周波数変調して得た被変調波信号が映像情報と共に多重されたアナログテレビジョン放送波を、第２の放送電波として送信する構成であってもよく、音声信号を周波数変調又は振幅変調して得た被変調波信号からなるラジオ放送波を、第２の放送電波として送信する構成でもよい。
【発明の効果】
【００１５】
本発明によれば、地上波デジタル放送の、受信感度があるレベルを下回った場合であっても、視聴者にとって欠かせない情報（放送の流れや、重要なポイント、例えば、クイズ番組の答えや、ドラマのクライマックスなど）を失うことを回避することができる。
【発明を実施するための最良の形態】
【００１６】
次に、本発明の最良の実施の形態について図面と共に詳細に説明する。
【００１７】
（第１の実施の形態）
図１は、本発明になる放送システム並びに放送受信端末及び放送送信端末の第１の実施の形態のブロック図を示す。
【００１８】
本実施の形態のデジタル放送システムを構成する放送受信端末は、第１の放送局１の第１の放送送信端末より送信された第１の放送電波を受信する第１のアンテナ２、第１の選局手段３、ＯＦＤＭ復調手段４、多重分離手段５、映像デコード手段６、表示手段７、音声デコード手段８、感度判定手段９、選択手段１０及び音声出力手段１１と、第２の放送局１２の第２の放送送信端末より送信された第２の放送電波を受信する第２のアンテナ１３、第２の選局手段１４、復調手段１５及び遅延手段１６とよりなり、選択手段１０が音声デコード手段８からの第１の音声信号と、遅延手段１６からの第２の音声信号とのうち、感度判定手段９から感度判定信号により、どちらか一方を選択して出力する。
【００１９】
ここで、第１の選局手段３は、アンテナ２で第１の放送電波を受信して得られた第１の受信信号から、視聴を所望するチャンネルの信号を抜き出し、この抜き出した信号を第１の選局信号として出力する。ＯＦＤＭ復調手段４は、第１の選局手段３から入力された第１の選局信号のＯＦＤＭ(Orthogonal Frequency Division Multiplexing:直交周波数分割多重)復調処理とエラー訂正処理とを行って、これをトランスポートストリーム信号として出力し、一方で前記第１の選局信号の品質の状態を感度情報として出力する。
【００２０】
感度判定手段９は、ＯＦＤＭ復調手段４から入力された感度情報が、予め設定した値を下回るかどうかを判定し、感度情報が予め設定した値を下回っていない場合は通常動作を、感度情報が予め設定した値を下回っている場合は代替動作を示す判定信号を出力する。
【００２１】
多重分離手段５は、ＯＦＤＭ復調手段４から入力されたトランスポートストリーム信号から、ビデオエレメンタリストリーム信号とオーディオエレメンタリストリーム信号を各々分離して出力する。映像デコード手段６は、多重分離手段５から入力されたビデオエレメンタリストリーム信号をデコードして、フレーム信号を抽出し、これをフレーム出力信号として表示手段７へ出力して表示させる。音声デコード手段８は、多重分離手段５から入力されたオーディオエレメンタリストリーム信号をデコードして第１の音声信号として選択手段１０へ出力する。
【００２２】
第２のアンテナ１３は、第２の放送端末１２からの第２の放送電波を受信して第２の受信信号を出力する。ここで、第２の放送電波はアナログの変調（振幅変調（ＡＭ）や周波数変調（ＦＭ）など）を想定している。ここで、第２の受信信号は、地上波デジタル放送の別のセグメント等で送信された信号を受けることを想定しており、必要に応じて、レートを落したり、訂正能力を上げるなど、伝送路の影響を受け難くしたほうが良いことは勿論である。第２の選局手段１４は、第２のアンテナ１３から入力された第２の受信信号から視聴を所望するチャンネルの信号を抜き出し、この抜き出した信号を第２の選局信号として出力する。
【００２３】
復調手段１５は、第２の選局手段１４から出力された第２の選局信号をアナログ復調し、復調信号として出力する。この復調信号は音声信号である。遅延手段１６は、復調手段１５から出力された復調信号を時間的に遅延させた信号を第２の音声信号として出力する。
【００２４】
選択手段１０は、感度判定手段９から入力された判定信号が、通常動作を示す場合には、第１の音声信号を音声選択後信号として出力し、感度判定手段９から入力された判定信号が、代替動作を示す場合には、第２の音声信号を音声選択後信号として出力する。音声出力手段１１は、選択手段１０から出力された音声選択後信号を音声信号として出力する。なお、音声出力手段１１はスピーカでもよいし、ＲＣＡ出力端子（すなわち、ＲＣＡ形状のオーディオ端子）等でもよい。
【００２５】
ここで、第１の音声信号、及び第２の音声信号はアナログ・デジタルどちらでもよいことは勿論である。その場合には、選択手段１０も、適宜対応し、デジタルの場合は、最終出力である音声までの間にＤ／Ａ変換手段が挿入される。また、遅延手段１６の遅延量は、所定の遅延量を設定する。チャンネル毎にその遅延量を変更しても良いことは勿論である。ただし、第１の音声信号と第２の音声信号は同一音声内容である。また、第２の放送端末１２は本実施の形態の放送送信端末を構成している。
【００２６】
このような構成の放送システム、放送受信端末及び放送送信端末によれば、地上波デジタル放送の、受信感度があるレベルを下回った場合であっても、第２の受信信号における復調された音声信号は、ノイズに埋もれていたとしても、内容は聞き取ることが可能な場合が多いので、視聴者にとって欠かせない情報を失うことを回避することができる。
【００２７】
次に、上記の根拠となる、デジタルとアナログの特性の違いについて、図２と共に説明する。図２は横軸に伝送路のＳ／Ｎを、縦軸に再生信号の品質を表した特性図である。図２から分かるように、伝送路のＳ／Ｎがあるレベル以上であれば、デジタルの再生信号品質はIで示すように、アナログ（ＡＭの特性をIIに、ＦＭの特性をIIIに示す）を凌ぐ一定の品質を保つことができるが、伝送路のＳ／Ｎがあるレベル以下になると、アナログ（ＡＭやＦＭ）以下となり、デジタルでは全く情報が取れなくなってしまう。
【００２８】
発明が解決しようとする課題の項でも述べたとおり、ユーザーにとっては、情報を失わないことが重要であるから、再生信号品質が悪くてもアナログのＡＭ信号やＦＭ信号に切り替えたほうが良いことが分かる。上記のＡＭ信号はＡＭラジオ放送に、ＦＭ信号はＦＭラジオ放送に対応すると考えてよく、アナログテレビジョン放送の音声もアナログ（ＦＭ）に相当する。
【００２９】
本実施の形態では、地上波デジタル放送の受信感度があるレベルを下回った場合、感度判定手段９から代替動作を示す判定信号が出力され、選択手段１０がアナログの第２の音声信号を選択して音声出力手段１１に供給して音声信号として出力するようにしたため、地上波デジタル放送の受信感度があるレベルを下回ったために従来は音声信号が視聴困難な場合であっても、視聴者にとって欠かせない音声情報（放送の流れや、重要なポイント、例えば、クイズ番組の答えや、ドラマのクライマックスなど）を失うことを回避することができる。
【００３０】
（第２の実施の形態）
次に、本発明の第２の実施の形態について説明する。図３は本発明になる放送システム並びに放送受信端末及び放送送信端末の第２の実施の形態のブロック図を示す。同図中、図１と同一構成部分には同一符号を付し、その説明を省略する。図３の第２の実施の形態の放送受信端末は、図１の遅延手段１６が、遅延調整手段１７に置き換わり、かつ、感度情報と第１の音声情報とが、遅延調整手段１７に供給される構成である点に特徴がある。
【００３１】
図３において、遅延調整手段１７は、復調手段１５から入力された復調信号を時間的に遅延させ、かつ、感度判定手段９から入力された判定信号が、通常動作を示す期間において、第１の音声信号と復調信号を遅延した信号との相関関係に基づいて、遅延量の調整を行い、第２の音声信号として出力する。
【００３２】
ここで、前述したように、選択手段１０は、感度判定手段９から入力された判定信号が代替動作を示す場合に、第２の音声信号を音声選択後信号として選択し出力するが、この第２の音声信号は、遅延調整手段１７において、判定信号が通常動作を示す期間において、第１の音声信号との相関関係に基づいて遅延量が調整された音声信号であるため、第１の音声信号とタイミングの近いものが選択されて出力される。従って、本実施の形態も、第１の実施の形態と同様に、地上波デジタル放送の受信感度があるレベルを下回ったために従来は音声信号が視聴困難な場合であっても、視聴者にとって欠かせない音声情報（放送の流れや、重要なポイント、例えば、クイズ番組の答えや、ドラマのクライマックスなど）を失うことを回避することができるという効果に加えて、更にユーザーは、違和感がないというメリットもある。
【００３３】
次に、図３の遅延調整手段１７の各実施例について説明する。
【００３４】
図４は遅延調整手段１７の第１実施例の構成図を示す。本実施例の遅延調整手段１７ａ（図３の遅延調整手段１７に相当）は、Ａ／Ｄ変換器１００と、２段縦続接続されたＤ型フリップフロップ１０１及び１０２と、選択手段１０３と、相関検出手段１０４とからなる。ここでは、説明の簡略化のため、タップ数を「３」に限定したトランスバーサルフィルタの形式を用いている。
【００３５】
本実施例の動作について説明する。図３の復調手段１５から出力された復調信号は、遅延調整手段１７ａのＡ／Ｄ変換器１００により、所定のクロックでサンプリングされて復調データＤａとされた後、選択手段１０３とＤ型フリップフロップ１０１のＤ入力端子に入力される。Ｄ型フリップフロップ１０１のＱ出力端子はＤ型フリップフロップ１０２のＤ入力端子に接続されており、また、Ｄ型フリップフロップ１０１及び１０２は共通のクロックがクロック入力端子ＣＬＫに印加されているため、Ｄ型フリップフロップ１０１のＱ出力端子から復調データＤａを１クロック周期遅延した復調データＤｂが出力され、Ｄ型フリップフロップ１０２のＱ出力端子から復調データＤａを２クロック周期遅延した復調データＤｃが出力される。これらの復調データＤｂ及びＤｃはそれぞれ選択手段１０３に供給される。
【００３６】
選択手段１０３は、相関検出手段１０４より供給される選択情報に基づいて、入力復調データＤａ、Ｄｂ、Ｄｃのいずれかを選択して、第２の音声信号として出力する。この第２の音声信号は、第１の音声信号と共に相関検出手段１０４に入力される。
【００３７】
相関検出手段１０４は、第１の音声信号と第２の音声信号の相関の強さ（相関度）を検出する。相関の強さは、乗算と積分により、簡単に抽出することが可能である。相関検出手段１０４は、選択情報を切り替えて、選択手段１０３から出力される復調データをＤａ、Ｄｂ、Ｄｃの順に切り替え、これら復調データＤａ、Ｄｂ、Ｄｃと第１の音声信号との相関度を順次抽出する相関検出動作を行った後、それぞれの相関度を情報として蓄積する。
【００３８】
このとき、地上波デジタル放送の、受信感度があるレベルを下回った場合には、復調信号自体が正しく得られないので、図３のＯＦＤＭ復調手段４から感度情報を相関検出手段１０４に入力する。相関検出手段１０４は、受信感度があるレベルを下回ったことを示す感度情報が入力された場合には、上記の相関検出動作をディスイネーブルとする。これにより、最終的には、相関検出手段１０４は、第１の音声信号と最も相関度の高い復調データを選択するべく、選択情報を出力する。結果として、第２の音声信号は、第１の音声信号とタイミングの近い復調データが選択されて出力されるので、ユーザーは、違和感がない音声視聴ができるというメリットがある。
【００３９】
次に、遅延調整手段１７の第２実施例の構成及び動作について説明する。図５は遅延調整手段１７の第２実施例の構成図を示す。同図中、図４と同一構成部分には同一符号を付し、その説明を省略する。本実施例の遅延調整手段１７ｂ（図３の遅延調整手段１７に相当）は、図４の選択手段１０３及び相関検出手段１０４に替えて、乗算器１０５、１０６及び１０７と、加算器１０８と、減算器１０９と、係数更新手段１１０とが設けられている。
【００４０】
この遅延調整手段１７ｂの動作について説明する。図５において、復調データＤａ、Ｄｂ、Ｄｃは、それぞれ乗算器１０７、１０８、１０９のそれぞれに入力され、係数更新手段１１０から入力された係数ｋａ、ｋｂ、ｋｃと乗算される。乗算器１０７、１０８、１０９の出力データは、加算器１０８にそれぞれ入力されて加算された後、第２の音声信号として出力される。この第２の音声信号は、減算器１０９にて図３の音声デコード手段８から出力された第１の音声信号と減算されて差信号とされた後、係数更新手段１１０に入力される。
【００４１】
係数更新手段１１０は、復調データＤａ、Ｄｂ、Ｄｃそれぞれと、減算器１０９から出力された差信号との相関度を検出し、その強さに基づいて、係数ｋａ、ｋｂ、ｋｃを更新する。係数更新手段１１０、乗算器１０５〜１０７、加算器１０８、減算器１０９からなるループは、減算器１０９の出力が”０”になるように働くため、結果として、第２の音声信号は、第１の音声信号のレプリカとなる。但し、元の信号が、復調信号であるから、あくまでも、復調信号を遅延、及び補完した信号として、第２の音声信号が生成される。
【００４２】
但し、地上波デジタル放送の、受信感度があるレベルを下回った場合には、復調信号自体が正しく得られないので、図３のＯＦＤＭ復調手段４から感度情報を係数更新手段１１０に入力し、受信感度があるレベルを下回った場合には、係数更新手段１１０の相関度検出動作をディスイネーブルとする。
【００４３】
本実施例の遅延調整手段１７ｂによれば、図４に示した第１実施例の遅延調整手段１７ａと同じく、第２の音声信号は、第１の音声信号とタイミングの近いものが選択されて出力されるので、ユーザーは、音声視聴の違和感がないというメリットがあり、更に、遅延調整手段１７ａよりも、精度良く、第１の音声信号と第２の音声信号のタイミングを合わせることができるというメリットもある。
【００４４】
次に、遅延調整手段１７の第３実施例の構成及び動作について説明する。図６は遅延調整手段１７の第３実施例の構成図を示す。本実施例の遅延調整手段１７ｃ（図３の遅延調整手段１７に相当）は、第１実施例の遅延調整手段１７ａと同様の動作をアナログ回路で行う点に特徴がある。本実施例の遅延調整手段１７ｃは、２段縦続接続された遅延手段１１１及び１１２と、選択手段１１３と、相関検出手段１１４とからなる。遅延手段１１１及び１１２は、アナログ遅延素子により構成されている。
【００４５】
次に、本実施例の動作について説明する。図３の復調手段１５から出力されたアナログ復調信号ｄａは、アナログ信号のまま選択手段１１３に入力されると共に、遅延手段１１１に入力される。遅延手段１１１は、復調信号ｄａを所定時間Ｔ遅延して復調信号ｄｂを生成し、その復調信号ｄｂを遅延手段１１２と選択手段１１３に入力する。遅延手段１１２は、復調信号ｄｂを所定時間Ｔ遅延して復調信号ｄｃを生成し、その復調信号ｄｃを選択手段１１３に入力する。
【００４６】
選択手段１１３は、アナログの復調信号ｄａ、ｄｂ、ｄｃを入力信号として受け、相関検出手段１１４より供給される選択情報に基づいて、入力信号のいずれかを選択して、第２の音声信号として出力する。この第２の音声信号は、図３の音声デコード手段８から出力された第１の音声信号と共に相関検出手段１１４に入力され、両者の相関の強さ（相関度）を検出する。相関の強さは、乗算と積分により、簡単に抽出することが可能である。
【００４７】
相関検出手段１１４は、選択情報を切り替えて、選択手段１１３から出力されるアナログの復調信号をｄａ、ｄｂ、ｄｃの順に切り替え、これら復調信号ｄａ、ｄｂ、ｄｃと第１の音声信号との相関度を順次抽出する相関検出動作を行った後、それぞれの相関度を情報として蓄積する。
【００４８】
このとき、地上波デジタル放送の、受信感度があるレベルを下回った場合には、復調信号自体が正しく得られないので、図３のＯＦＤＭ復調手段４から感度情報を相関検出手段１１４に入力する。相関検出手段１１４は、受信感度があるレベルを下回ったことを示す感度情報が入力された場合には、上記の相関検出動作をディスイネーブルとする。これにより、最終的には、相関検出手段１１４は、第１の音声信号と最も相関度の高い復調信号を選択するべく、選択情報を出力する。結果として、第２の音声信号は、第１の音声信号とタイミングの近い復調信号が選択されて出力されるので、ユーザーは、音声視聴の違和感がないというメリットがある。
【００４９】
次に、遅延調整手段１７の第４実施例の構成及び動作について説明する。図７は遅延調整手段１７の第４実施例の構成図を示す。同図中、図６と同一構成部分には同一符号を付し、その説明を省略する。本実施例の遅延調整手段１７ｄ（図３の遅延調整手段１７に相当）は、図６の選択手段１１３及び相関検出手段１１４に替えて、乗算器１１５、１１６及び１１７と、加算器１１８と、減算器１１９と、係数更新手段１２０とが設けられている。
【００５０】
この遅延調整手段１７ｄの動作について説明する。図７において、アナログの復調信号ｄａ、ｄｂ、ｄｃは、それぞれ乗算器１１７、１１８、１１９のそれぞれに入力され、係数更新手段１２０から入力された係数ｋａ、ｋｂ、ｋｃと乗算される。乗算器１１７、１１８、１１９の出力アナログ信号は、加算器１１８にそれぞれ入力されて加算された後、第２の音声信号として出力される。この第２の音声信号は、減算器１１９にて図３の音声デコード手段８から出力された第１の音声信号と減算されて差信号とされた後、係数更新手段１２０に入力される。
【００５１】
係数更新手段１２０は、復調信号ｄａ、ｄｂ、ｄｃそれぞれと、減算器１１９から出力された差信号との相関度を検出し、その強さに基づいて、係数ｋａ、ｋｂ、ｋｃを更新する。係数更新手段１２０、乗算器１１５〜１１７、加算器１１８、減算器１１９からなるループは、減算器１１９の出力が”０”になるように働くため、結果として、第２の音声信号は、第１の音声信号のレプリカとなる。但し、元の信号が、復調信号であるから、あくまでも、復調信号を遅延、及び補完した信号として、第２の音声信号が生成される。
【００５２】
但し、地上波デジタル放送の、受信感度があるレベルを下回った場合には、復調信号自体が正しく得られないので、図３のＯＦＤＭ復調手段４から感度情報を係数更新手段１２０に入力し、受信感度があるレベルを下回った場合には、係数更新手段１２０の相関度検出動作をディスイネーブルとする。
【００５３】
本実施例の遅延調整手段１７ｄによれば、図６に示した第３実施例の遅延調整手段１７ｃと同じく、第２の音声信号は、第１の音声信号とタイミングの近いものが選択されて出力されるので、ユーザーは、音声視聴の違和感がないというメリットがあり、更に、遅延調整手段１７ｃよりも、精度良く、第１の音声信号と第２の音声信号のタイミングを合わせることができるというメリットもある。
【００５４】
（第３の実施の形態）
次に、本発明の第３の実施の形態について説明する。図８は本発明になる放送システム並びに放送受信端末及び放送送信端末の第３の実施の形態のブロック図を示す。同図中、図１と同じ機能ブロックには、同一番号を付し、その説明を省略する。
【００５５】
図８に示すように、本実施の形態は、図１の映像デコード手段６に替えて映像デコード手段２２を設けた点に特徴がある。映像デコード手段２２は、多重分離手段５から入力されたビデオエレメンタリストリーム信号をデコードして、フレーム信号を抽出すると共に、内蔵のメモリ手段に蓄積する。また、映像デコード手段２２は、感度判定手段９から入力された判定信号が、通常動作を示す場合には、上記の抽出したフレーム信号をフレーム出力信号として表示手段７へ出力し、感度判定手段９から入力された判定信号が、代替動作を示す場合には、上記のメモリ手段に蓄積されたフレーム信号を読み出して、フレーム出力信号として表示手段７へ出力する。
【００５６】
このように、本実施の形態によれば、地上波デジタル放送の受信感度があるレベルを下回った場合には、上記メモリ手段に蓄積されたフレーム信号を読み出すことで、映像の乱れが無く、ホールド状態になるので、第１の実施の形態で述べた音声が途切れない効果と組み合わせると、視聴者にとっての視聴の違和感を大幅に軽減できる。
【００５７】
（第４の実施の形態）
次に、本発明の第４の実施の形態について説明する。図９は本発明になる放送システム並びに放送受信端末及び放送送信端末の第４の実施の形態のブロック図を示す。同図中、図３と同じ機能ブロックには、同一番号を付し、その説明を省略する。
【００５８】
図９に示すように、本実施の形態は、図３の映像デコード手段６に替えて映像デコード手段２２を設けた点に特徴がある。すなわち、本実施の形態は、図３の第２の実施の形態の映像デコード手段６に替えて、図８に示した映像デコード手段２２を設けたものである。
【００５９】
これにより、本実施の形態によれば、地上波デジタル放送の受信感度があるレベルを下回った場合には、感度判定手段９から入力された判定信号が代替動作を示し、映像デコード手段２２内のメモリ手段からフレーム信号を読み出すことで、映像の乱れが無く、ホールド状態になるので、第２の実施の形態で述べた音声が途切れない効果と組み合わせると、視聴者にとっての視聴の違和感を大幅に軽減できる。
【００６０】
（第５の実施の形態）
次に、本発明の第５の実施の形態について説明する。図１０は本発明になる放送システム並びに放送受信端末及び放送送信端末の第５の実施の形態のブロック図を示す。同図中、図１と同じ機能ブロックには、同一番号を付し、その説明を省略する。
【００６１】
図１０に示すように、本実施の形態は、既存の地上波デジタル放送受信機にアダプタとして接続する放送受信端末３１を有する点に特徴がある。放送受信端末３１は、選択手段１０、音声出力手段１１、アンテナ１３、第２の選局手段１４、復調手段１５、遅延手段１６、及び無信号判定手段１８とから構成されており、第２の放送端末１２からの第２の放送電波を受信、復調して第２の音声信号を出力して選択手段１０に供給する一方、既存の地上波デジタル放送受信機から入力された地上波デジタル放送信号を受信して得られた第１の音声信号を選択手段１０に供給し、無信号判定手段１８からの判定信号に応じて、選択手段１０が第１の音声信号又は第２の音声信号を選択して音声出力手段１１へ供給する。
【００６２】
ここで、無信号判定手段１８は、音声デコード手段８から入力された第１の音声信号が、予め設定した値、又は予め設定した値を下回る値で一定期間連続するという条件を満たすかどうか判定し、条件を満たす場合は無信号であると判断して代替動作を示す第１の論理値となり、条件を満たさない場合は通常の音声信号であると判断して通常動作を示す第２の論理値となる判定信号を生成する。この判定信号は、選択手段１０に選択信号として供給され、代替動作を示す第１の論理値のときは第２の音声信号を選択させ、通常動作を示す第２の論理値のときは第１の音声信号を選択させる。
【００６３】
これにより、本実施の形態によれば、安価な構成の放送受信端末３１を既存のデジタル放送受信機に接続するという簡単な操作で、地上波デジタル放送の、受信感度があるレベルを下回った場合であっても、第２の音声信号を視聴することができるという効果が得られ、視聴者にとって欠かせない情報を失うことを回避することができる。
【００６４】
（第６の実施の形態）
次に、本発明の第６の実施の形態について説明する。図１１は本発明になる放送システム並びに放送受信端末及び放送送信端末の第６の実施の形態のブロック図を示す。同図中、図３、図１０と同じ機能ブロックには、同一番号を付し、その説明を省略する。
【００６５】
図１１に示すように、本実施の形態は、既存の地上波デジタル放送受信機にアダプタとして接続する放送受信端末３２を有する点に特徴がある。放送受信端末３２は、選択手段１０、音声出力手段１１、アンテナ１３、第２の選局手段１４、復調手段１５、遅延調整手段１９、及び無信号判定手段１８とから構成されている。ここで、遅延調整手段１９は、復調手段１５から入力された復調信号を時間的に遅延させ、かつ、無信号判定手段１８から入力された判定信号が、通常動作を示す期間において、第１の音声信号と復調信号を遅延した信号との相関関係に基づいて、遅延量の調整を行い、第２の音声信号として出力する。
【００６６】
これにより、本実施の形態によれば、安価な構成の放送受信端末３２を既存のデジタル放送受信機に接続するという簡単な操作で、地上波デジタル放送の、受信感度があるレベルを下回った場合であっても、第２の音声信号を視聴することができるという効果が得られ、視聴者にとって欠かせない情報を失うことを回避することができると共に、第２の音声信号は、第１の音声信号とタイミングの近いものが選択されて出力されるので、ユーザーは、違和感がないというメリットがある。
【００６７】
（第７の実施の形態）
次に、本発明の第７の実施の形態について説明する。図１２は本発明になる放送システム並びに放送受信端末及び放送送信端末の第７の実施の形態のブロック図を示す。同図中、図１０と同じ機能ブロックには、同一番号を付し、その説明を省略する。
【００６８】
図１２に示すように、本実施の形態は、既存の地上波デジタル放送受信機と第２の電波の受信機にアダプタとして接続する放送受信端末３３を有する点に特徴がある。放送受信端末３３は、音声入力手段２０、遅延手段１６、無信号判定手段１８、選択手段１０及び音声出力手段１１とから構成されており、第２の放送端末１２からの第２の放送電波を受信、復調して得た第２の音声信号が音声出力手段２１から音声入力手段２０を介して遅延手段１６に入力される一方、第１の音声信号が無信号判定手段１８及び選択手段１０に入力される。なお、音声入力手段２０及び音声出力手段２１は、ＲＣＡ出力端子（すなわち、ＲＣＡ形状のオーディオ端子）等である。
【００６９】
選択手段１０は無信号判定手段１８からの判定信号に応じて、既存の地上波デジタル放送受信機から入力された地上波デジタル放送信号を受信して得られた第１の音声信号、及び遅延手段１６で遅延された第２の音声信号のうちの一方を選択して音声出力手段１１へ供給する。
【００７０】
本実施の形態は、第４の実施の形態の放送受信端末３１よりも更に小型で安価な構成のアダプタとして用いることができ、ユーザーにとっては簡易な装着が可能となり、しかも地上波デジタル放送の、受信感度があるレベルを下回った場合であっても、第２の音声信号を視聴することができるという効果が得られる。
【００７１】
（第８の実施の形態）
次に、本発明の第８の実施の形態について説明する。図１３は本発明になる放送システム並びに放送受信端末及び放送送信端末の第８の実施の形態のブロック図を示す。同図中、図１１、図１２と同じ機能ブロックには、同一番号を付し、その説明を省略する。
【００７２】
図１３に示すように、本実施の形態は、既存の地上波デジタル放送受信機と第２の電波の受信機にアダプタとして接続する放送受信端末３４を有する点に特徴がある。放送受信端末３４は、音声入力手段２０、遅延調整手段１９、無信号判定手段１８、選択手段１０及び音声出力手段１１とから構成されており、第２の放送端末１２からの第２の放送電波を受信、復調して得た第２の音声信号が音声出力手段２１から音声入力手段２０を介して遅延手段１６に入力される一方、第１の音声信号が無信号判定手段１８及び選択手段１０に入力される。
【００７３】
選択手段１０は無信号判定手段１８からの判定信号に応じて、既存の地上波デジタル放送受信機から入力された地上波デジタル放送信号を受信して得られた第１の音声信号、及び遅延調整手段１９で遅延された第２の音声信号のうちの一方を選択して音声出力手段１１へ供給する。
【００７４】
本実施の形態は、図１１に示した第６の実施の形態の放送受信端末３２よりも更に小型で安価な構成のアダプタとして用いることができ、ユーザーにとっては簡易な装着が可能となり、しかも地上波デジタル放送の、受信感度があるレベルを下回った場合であっても、第１の音声信号とタイミングの近い第２の音声信号が選択されて出力されるので、ユーザーは、第２の音声信号を違和感なく視聴することができるという効果が得られる。
【００７５】
なお、以上の実施の形態及び実施例では、例えば移動体通信を考慮した地上デジタル放送に適用可能であるが、本発明はこれに限定されるものではなく、その他のデジタル放送にも適用可能である。また、第２の放送電波は、第１の放送電波と異なればよく、音声信号を周波数変調した被変調波信号を送受信するＦＭラジオ放送、音声信号を振幅変調した被変調波信号を送受信するＡＭラジオ放送などでよいし、また放送内容は音声のみに限らず、音声信号で音声搬送波を周波数変調して得た被変調音声信号を、映像信号で映像搬送波を残留側波帯方式で平衡変調して得られた被変調映像信号に周波数分割多重化して送信するアナログテレビジョン放送電波などでもよいことは勿論である。
【図面の簡単な説明】
【００７６】
【図１】本発明の放送システム並びに放送受信端末及び放送送信端末の第１の実施の形態のブロック図である。
【図２】デジタルとアナログの伝送路のＳ／Ｎ対再生信号の品質の関係を示した図である。
【図３】本発明の放送システム並びに放送受信端末及び放送送信端末の第２の実施の形態のブロック図である。
【図４】図３中の遅延調整手段の実施例１の構成図である。
【図５】図３中の遅延調整手段の実施例２の構成図である。
【図６】図３中の遅延調整手段の実施例３の構成図である。
【図７】図３中の遅延調整手段の実施例４の構成図である。
【図８】本発明の放送システム並びに放送受信端末及び放送送信端末の第３の実施の形態のブロック図である。
【図９】本発明の放送システム並びに放送受信端末及び放送送信端末の第４の実施の形態のブロック図である。
【図１０】本発明の放送システム並びに放送受信端末及び放送送信端末の第５の実施の形態のブロック図である。
【図１１】本発明の放送システム並びに放送受信端末及び放送送信端末の第６の実施の形態のブロック図である。
【図１２】本発明の放送システム並びに放送受信端末及び放送送信端末の第７の実施の形態のブロック図である。
【図１３】本発明の放送システム並びに放送受信端末及び放送送信端末の第８の実施の形態のブロック図である。
【符号の説明】
【００７７】
１  第１の放送局
２  第１のアンテナ
３  第１の選局手段
４  ＯＦＤＭ復調手段
５  多重分離手段
６、２２  映像デコード手段
７  表示手段
８  音声デコード手段
９  感度判定手段
１０  選択手段
１１  音声出力手段
１２  第２の放送局
１３  第２のアンテナ
１４  第２の選局手段
１５  復調手段
１６  遅延手段
１７、１７ａ、１７ｂ、１７ｃ、１７ｄ、１９  遅延調整手段
１８  無信号判定手段
２０  音声入力手段
２１  音声出力手段
３１、３２、３３、３４  放送受信端末（アダプタ）
１００  Ａ／Ｄ変換器
１０１、１０２  Ｄ型フリップフロップ
１０３、１１３  選択手段
１０４  相関検出手段
１０５、１０６、１０７  乗算器
１０８、１１８  加算器
１０９、１１９  減算器
１１０、１２０  係数更新手段
１１１、１１２  遅延手段
１１４  相関検出手段
１１５、１１６、１１７  増幅器
【図１】
2009065317.tif 000003
【図２】
2009065317.tif 000004
【図３】
2009065317.tif 000005
【図４】
2009065317.tif 000006
【図５】
2009065317.tif 000007
【図６】
2009065317.tif 000008
【図７】
2009065317.tif 000009
【図８】
2009065317.tif 000010
【図９】
2009065317.tif 000011
【図１０】
2009065317.tif 000012
【図１１】
2009065317.tif 000013
【図１２】
2009065317.tif 000014
【図１３】
2009065317.tif 000015